(57)【要約】【課題】剃り運動を行うに際して、刃体(又は刃体を保持するホルダ)に最も近位の部位を把持して行う場合、対皮角度の細かなコントロールを、安定した状態で行うことができる長柄かみそりを提供する。【解決手段】長柄かみそり１０は長柄２０の先端に刃体４０を取着するホルダ３０を設け、長柄２０の先端にホルダ３０の厚みよりも厚い先端部位２１を設ける。ホルダ３０の顎部３２は指の腹部がフィットするように凹状に形成する。長柄２０の先端部位２１の腹部２１ａは顎部３２を露出するように形成する。長柄２０の先端部位２１の背部２１ｂは顎部３２に対応するホルダ３０の背部を覆うように形成し、先端部位２１の顎部３２に対応する背部に指当て部を形成する。【選択図】      図１
2005224434.tif 000002
【特許請求の範囲】
【請求項１】
長柄の先端に刃体部又は刃体を取着するホルダを設け、前記長柄の少なくとも先端には前記刃体部又は前記ホルダの厚みよりも厚い先端部位を備えた長柄かみそりにおいて、
前記刃体部又は前記ホルダの顎部の領域を指の腹部がフィットするように凹状に形成し、
前記長柄の先端部位の腹部は、前記顎部の領域を露出するように形成し、
前記長柄の先端部位の背部は、前記顎部の領域に対応する前記刃体部又は前記ホルダの背部を覆うように形成し、
該先端部位の前記顎部の領域に対応する背部に指当て部を形成したことを特徴とする長柄かみそり。
【請求項２】
前記顎部の領域には、指で把持したときに、指の滑りを防止する滑り止め部を形成したことを特徴とする請求項１に記載の長柄かみそり。
【請求項３】
前記指当て部は、凹状に形成されていることを特徴とする請求項１又は請求項２に記載の長柄かみそり。
【請求項４】
前記先端部位の材質は、熱可塑性エラストマーにて形成されていることを特徴とする請求項１乃至請求項３のうちいずれか１項に記載の長柄かみそり。
【発明の詳細な説明】
【技術分野】
【０００１】
本発明は、長柄かみそり、特に皮膚に沿って剃り運動を行う長柄かみそりに関するものである。
【背景技術】
【０００２】
長柄かみそりは、図１２に示すように長柄１００の先端に刃体部１１０を備えている。刃体部１１０は、該刃体部１１０から延びた図示しない基端部が挿入されることにより、長柄１００に取着されている。この長柄かみそりを使用して、髭剃りや無駄毛剃りを行う場合、肌荒れが発生しない事はもちろん、剃り心地の良さも要求される。一般に、安全上、皮膚と刃体部１１０の刃の皮膚表面に対する角度（対皮角度）を大きくして（刃体部１１０を立てて）使用するため、剃り残し、肌荒れ、血吹きの心配もあり、対皮角度を小さくして剃ることが推奨されている。
【０００３】
従って、長柄かみそりを使用して、皮膚に沿って剃り運動を行う場合、細かな対皮角度のコントロールが必要とされる。一般的に、長柄かみそりの持ち方は、図１２に示すように親指Ｆ１を長柄１００の先端の腹部に当て、長柄１００の背部に対してその先端側から人指し指Ｆ２、中指Ｆ３、薬指Ｆ４、小指Ｆ５の順に沿わせるように配置する。そして、使用者は上記のように指を配置した状態で、長柄１００を把持して剃り運動を行っている（以下、この例を従来例１という）。又、図１４に示すように長柄１００の先端部位の腹部に親指Ｆ１を、該先端部位の背部に人指し指Ｆ２を当てた状態で、人指し指Ｆ２が当たっている先端部位の背部を回転中心にして親指Ｆ１を操作することにより、対皮角度を変えている（以下、従来例１の持ち方による対皮角度の変え方という）。
【０００４】
なお、カットレザーとしては特許文献１のものが公知である（以下、従来例２という）。
【特許文献１】特開２００１−３５３３８２号公報
【発明の開示】
【発明が解決しようとする課題】
【０００５】
ところで、皮膚に沿って剃り運動を行うように長柄かみそりを使用する場合、より細かな対皮角度のコントロールがしやすい持ち方が要望されている。この要望は、特に、長柄かみそりを業務として使用している理美容業の関係者に多い。従来例１の持ち方による場合、把持している部分が刃体部１１０から遠位となり、対皮角度のより細かなコントロールがむずかしい問題があった。
【０００６】
この理由は、以下の通りである。図１３に示すように皮膚Ｈに沿って剃り運動（図１３においては、図面に直交する方向）を行う場合、刃体部１１０は、皮膚Ｈに接触しているが、長柄１００は、刃体部１１０が接触している皮膚Ｈａから離れた位置にある。このような状態では、刃体部１１０が接触している皮膚Ｈａから、把持する部位が遠位であると、Ｌ１，Ｌ２のように、接触している皮膚Ｈａに対して傾きの変動が生じやすい。なお、Ｌ１，Ｌ２は長柄かみそりの長手方向に延びる中心線である。このため、長柄１００よりも刃体部１１０に最も近い近位部位を、親指Ｆ１と人指し指Ｆ２で把持すれば、前記問題が解決するとも考えられる。
【０００７】
しかし、この問題が解決されたとしても、新たに下記の問題が生ずる。
従来例１では、刃体部１１０に最も近い近位部位は、刃体部１１０の顎部１１１となるが、この顎部１１１と対応した、刃体部１１０の背部ａは、長柄１００を構成する先端部位がない部位である。すなわち、人指し指を当てる部位は、厚みが従来例１よりも薄い部位である。このため、顎部１１１と背部ａとを親指と人指し指で把持して、親指Ｆ１にて対皮角度を変化させようとした場合、背部ａの厚みが長柄１００の厚みよりも薄いことから、従来例１の持ち方による対皮角度の変え方による場合よりも人指し指Ｆ２での支持が不安定となる問題があった。
【０００８】
なお、従来例２のカットレザーは、皮膚に沿って髭剃りを行うものではなく、髪をカットするために使用されるものである。このカットレザーの使用法、すなわち、持ち方は、従来例２の公報の図４，６，７，１０に示されているように、長柄を人指し指、中指、薬指、小指で握り、親指を刃体（又は刃体を保持するホルダ)先端の側面に当てて使用するものである。そして、従来例２では、刃体の顎部の曲率半径は、親指がフィットする大きさには形成されていない。又、カットレザーでは、皮膚に沿って剃り運動を行うことがなく、皮膚から離れた髪そのもののカット等を行うため、上記のような持ち方を前提とした従来例２のカットレザーから、剃り運動を行う場合の、対皮角度の細かなコントロールをいかにして安定に行うかの本発明の新規な課題は、想定できないものである。
【０００９】
本発明の目的は、前述した事情に鑑みてなされたものであって、剃り運動を行うに際して、刃体(又は刃体を保持するホルダ)に最も近位の部位を把持して行う場合、対皮角度の細かなコントロールを、安定した状態で行うことができる長柄かみそりを提供することにある。
【課題を解決するための手段】
【００１０】
上記目的を達成するために、請求項１に記載の発明は、長柄の先端に刃体部又は刃体を取着するホルダを設け、前記長柄の少なくとも先端には前記刃体部又は前記ホルダの厚みよりも厚い先端部位を備えた長柄かみそりにおいて、前記刃体部又は前記ホルダの顎部の領域を指の腹部がフィットするように凹状に形成し、前記長柄の先端部位の腹部は、前記顎部の領域を露出するように形成し、前記長柄の先端部位の背部は、前記顎部の領域に対応する前記刃体部又は前記ホルダの背部を覆うように形成し、該先端部位の前記顎部の領域に対応する背部に指当て部を形成したことを特徴とする長柄かみそりを要旨とするものである。
【００１１】
請求項２の発明は、請求項１において、前記顎部の領域には、指で把持したときに、指の滑りを防止する滑り止め部を形成したことを特徴とする。
請求項３の発明は、請求項１又は請求項２において、前記指当て部は、凹状に形成されていることを特徴とする。
【００１２】
請求項４の発明は、請求項１乃至請求項３のうちいずれか１項において、前記先端部位の材質は、熱可塑性エラストマーにて形成されていることを特徴とする。
【発明の効果】
【００１３】
請求項１の発明によれば、中指、薬指、及び小指で長柄を握り、親指で刃体部又はホルダの顎部における凹状の部位を、人指し指で指当て部を把持すると、親指と人指し指にて、確実に長柄かみそりを把持できる。このように長柄かみそりを刃体に最も近い部分で把持しているため、髭剃りする場合、刃体のコントロールがしやすくなる。
【００１４】
長柄の背部の先端部位に当てた指と、凹状の部位に当てた指で長柄かみそりを保持し、この状態で、先端部位の背部を中心にして、凹状の部位を若干回転すると、長柄かみそりの皮膚面に当てる角度を変えることができる。このとき、前記先端部位の背部は、刃体部又はホルダの背部よりも厚みがある。従って、この角度を変える際に、先端部位の背部の厚みがある分、当てた指にて安定して保持した状態で、対皮角度の変更を行うことができる。
【００１５】
又、凹状の部位は、指がフィットするように形成されているため、凹状でない場合に比較して、凹状の部位に対して指を安定して当てることができる。仮に、この部位が直線状に形成されていると、その部分に当てた指がフィットしないため指の滑りが生じ、安定して、長柄かみそりを保持できない。
【００１６】
請求項２の発明によれば、凹状の部位と、指当て部に指を当てて長柄かみそりを把持した際に、前記指の腹にフィットするように形成した凹状の部位における指の滑りをその凹状の部位の形状と滑り止め部により、防止することができる。
【００１７】
請求項３の発明によれば、指当て部が凹状に形成されていることにより、指当て部に当てた指を好適にフィットさせることができる。
請求項４の発明によれば、先端部位が熱可塑性エラストマーにて形成されているため、特に指当て部での指の滑りを防止できるとともに、柔らかく手になじむ把持感を与える。
【発明を実施するための最良の形態】
【００１８】
以下、本発明を替刃式の長柄かみそりに具体化した一実施形態を図１〜図７を参照して説明する。この替刃式の長柄かみそり１０は、替刃である刃体を皮膚に当てて、皮膚に沿って剃り運動を行うことにより、髭剃り、無駄毛剃りを行うためのものである。
【００１９】
長柄かみそり１０は、図１に示すように、長柄２０の先端にホルダ３０が同一方向に延長形成され、ホルダ３０に替刃である刃体４０が取り付けられている。
長柄２０は、熱可塑性エラストマーにて形成されている。本実施形態では、熱可塑性エラストマーとしてのスチレン−ブタジエン系（ＳＢＣ）で形成されているが、この材質に限定するものではない。例えば、ポリオレフィン系（ＴＰＯ）、ポリエステル系（ＴＰＥＥ）、ポリ塩化ビニル系（ＴＰＶＣ）、ポリウレタン系（ＴＰＵ）、ポリアミド系（ＴＰＡＥ）、その他（ポリブタジエン、ポリイソプレン、アイオノマー、塩素化ポリエチレン、フッ素ゴム）であってもよい。これらの熱可塑性エラストマーは、業務用かみそりの消毒に必要な耐熱性（蒸気滅菌など）、耐薬品性（アルコールなど）を備えており、又、ゴム質であるため、滑りにくく、柔らかく手になじむ把持感が得られる。
【００２０】
長柄２０は、図１に示すように長尺状に形成され、ホルダ３０の基端部から延出された挿入部５０が図３に示すように長柄２０の先端面から挿入されて固定されている。ホルダ３０は、ステンレスから形成されている。なお、ホルダ３０の材質はステンレスに限定するものではなく、他の金属や、プラスティック等であってもよい。ホルダ３０は先端部から基端部に亘って刃体取付部３１及び顎部３２が形成されている。刃体取付部３１は、その腹部(図１において、下部)が図３に示すように直線状に形成されている。顎部３２は、その腹部が図３に示すように指にて把持される際に該指の腹にフィット可能に凹状に形成されている。本実施形態では、顎部３２は、一つの曲率半径で凹状に形成されている。しかし、顎部３２の凹状は一つの曲率半径にて形成することに限定するものではなく、異なる曲率半径の円弧を連結して形成するようにしてもよい。又、顎部３２の凹状は、断面が円弧となるように形成することに限定するものではなく、複数の直線で連結して形成するようにしてもよい。
【００２１】
なお、本明細書で顎部とは、刃体部又はホルダの長柄側に延びる部分であって、その領域の腹部と背部間の長さが漸減するように腹部側が凹状に形成された部分である。なお、本実施形態では、顎部３２は長柄２０の腹部２１ａの直近まで形成されているが、長柄２０の腹部２１ａの直近まで顎部３２を設けることを限定するものではない。例えば、顎部に続いて首部を設けて、該首部を長柄２０の腹部２１ａの直近に設けてもよい。ここでいう首部とは、凹状に形成されていない部位をいう。
【００２２】
刃体取付部３１及び顎部３２の下面には、刃体取付溝３４が形成されている。刃体取付溝３４が形成されることにより、ホルダ３０には、刃体取付溝３４を挟むようにして一対の挟着片３６が形成されている。刃体取付溝３４は、図６に示すように断面視した場合、略５角形状をなし、内頂部３５は断面逆Ｖ字状の面を有するように形成されている。又、刃体取付溝３４は、図６に示すように断面視した場合、腹部に行くほど内側壁間が狭くなるように形成されている。この刃体取付溝３４を製造する工程で、図示しない間隔調整治具を刃体取付溝３４内にその長さ方向(ホルダ３０の長さ方向、すなわち、図１において、左右方向)に挿入して、この内側壁間の間隔調整を行うようにしている。
【００２３】
刃体取付溝３４は、図３に示すように刃体取付部３１の領域では一定の溝深さを有するよう形成されている。刃体取付溝３４は、顎部３２の領域では、刃体取付溝３４の内頂部３５が、断面円弧状に形成されて挿入部５０方向へ行くほど、その溝深さが浅くなるように形成されている。そして、本実施形態の刃体取付溝３４は、顎部３２の領域において開口されている。刃体４０は、両挟着片３６の先端(図１において、左端)から挿入されることにより、両挟着片３６にて着脱自在に取付される。
【００２４】
ここで、長柄２０の先端部位２１について説明する。
長柄２０の先端部位２１の腹部２１ａは、図１及び図２に示すように顎部３２を露出するように、顎部３２近傍に位置するように形成されている。又、図４に示すように顎部３２における刃体取付溝３４の内頂部３５から前記開口外部へ延びる延長線Ｌ)を想定したとき、該延長線Ｌに対して、長柄２０の先端部位２１の腹部２１ａは、干渉しないように形成されている。なお、図４に示す延長線Ｌは、刃体取付溝３４を断面視したとき、溝深さが最も深くなる部分から延出した線で説明している。
【００２５】
又、先端部位２１の背部２１ｂは、図１〜４に示すように顎部３２の領域に対応するホルダ３０の背部の８０％を覆うように設けられている。この数値は、８０％に限定するものではなく、この背部２１ｂにて覆う部分は、顎部３２の領域に対応するホルダ３０の背部の７０％以上であればよい。
【００２６】
一般に、人指し指と親指とを対向配置して物を把持するときが、最も安定した状態で把持できる。従って、親指を顎部３２に配置し、この親指と対向配置するように人指し指を背部２１ｂに当てた際、該背部２１ｂは、顎部３２の領域に対応するホルダ３０の背部の７０％以上を覆っているため、背部２１ｂから先端部位２１がないホルダ３０の上方に人指し指のはみ出る量が少なく、人指し指を背部２１ｂに対して安定した状態で当てることができる。
【００２７】
なお、背部２１ｂにより、顎部３２の領域に対応するホルダ３０の背部の覆う範囲が７０％未満の場合は、人指し指のはみ出し量が増大し、背部２１ｂとホルダ３０の背部２１ｂと間に形成される段部のエッジが人指し指に触れることになる。すると、剃り運動を行っている際に、この段部のエッジによって、人指し指に無用な刺激を付与することになり、細心の注意をもって行うことが必要な剃り運動ができなくなり、好ましくない。
【００２８】
勿論、この背部２１ｂにてホルダ３０の背部を覆う場合、顎部３２の領域に対応するホルダ３０の背部の１００％を覆ってもよく、さらには、刃体取付部３１の領域に対応するホルダ３０の背部に背部２１ｂを延出して同部を覆うようにしてもよい。背部２１ｂは、図４に示すように長手方向に切断して断面視した場合、緩い円弧状のカーブを有する凸面を有する。
【００２９】
上述のように長柄２０の先端部位の腹部２１ａと、背部２１ｂとが設けられているため、全体として、図１、図２に示すように先端部位２１は、斜状に形成されている。そして、背部２１ｂは、長柄２０を把持した際、人指し指が当てられる指当て部とされている。
【００３０】
ホルダ３０の挟着片３６において、顎部３２には滑り止め部として複数の滑り止め凹部３７が一定間隔を隔てて形成されている。本実施形態では、各挟着片３６に対して４個設けているが、この４個に限定するものではなく、１個、２個、３個でもよく、或いは５個以上あってもよい。
【００３１】
さて、上記のように構成された長柄かみそり１０は下記の作用効果を奏する。
（１）  図１に示すように、刃体４０をホルダ３０に取り付けた状態で、親指Ｆ１を顎部３２に当て、人指し指Ｆ２を長柄２０の先端部位２１の背部２１ｂに当て、中指Ｆ３、薬指Ｆ４、小指Ｆ５の順に長柄２０を沿わせて持つように配置することにより、長柄かみそり１０を把持する(図７参照)。この状態では、中指Ｆ３、薬指Ｆ４、及び小指Ｆ５で長柄２０を握り、親指Ｆ１にて顎部３２を、人指し指Ｆ２にて背部２１ｂ(指当て部)を把持しているため、親指Ｆ１と人指し指Ｆ２にて、確実に長柄かみそり１０を把持できる。このように長柄かみそり１０を把持する際に、刃体４０に最も近い部分を把持しているため、髭剃りする場合、刃体４０のより細かなコントロールがしやすくなる。
【００３２】
すなわち、刃体４０の近位の部分を人指し指Ｆ２と親指Ｆ１とで把持すると、皮膚に両指が接触することもでき、この際、長柄かみそり１０の剃り運動のガイドが行われ、接触している皮膚に対して、長柄かみそり１０全体の傾きの変動が生じにくくなる。
【００３３】
それに対して、従来、長柄の部分だけを把持して、長柄かみそりを使用する場合、ホルダの顎部の領域と顎部の領域に対応した長柄における先端部位の背部を把持する本実施形態とは異なり、把持する部位が遠位となり、長柄かみそりの皮膚に対する傾きが変動しやすい。
【００３４】
そして、本実施形態では、先端部位２１の背部２１ｂに当てた人指し指Ｆ２と、顎部３２である凹状の部位に当てた親指Ｆ１で長柄かみそり１０を保持し、この状態で、先端部位２１の背部２１ｂを中心にして、顎部３２を若干回転すると、刃体４０の刃の皮膚面に当てる角度(対皮角度)を変えることができる。このとき、先端部位２１の背部２１ｂは、ホルダ３０の背部よりも厚みがある。従って、この対皮角度を変える際に、先端部位２１の背部２１ｂの厚みがある分、当てた人指し指Ｆ２にて安定して保持した状態で、対皮角度の変更を容易に行うことができ、より細かな対皮角度のコントロールができる。仮に、この先端部位２１の背部が、顎部３２の領域に対応するホルダの背部を覆うように設けられていない場合、ホルダの背部を指にて支持することになるが、この場合は、厚みが前述の場合に比較して薄いため、対皮角度の変更のコントロールがしにくい欠点がある。
【００３５】
又、本実施形態では、顎部３２である凹状の部位は、指がフィットするように形成されているため、凹状でない場合に比較して、凹状の部位に当てた指を安定して当てることができる。
【００３６】
（２）  又、本実施形態では、顎部３２である凹状の部位と、長柄２０の先端部位２１の背部２１ｂ（指当て部）に指を当てて長柄かみそりを把持した際に、顎部３２における指の滑りを、顎部３２の凹状の形状と滑り止め凹部３７により、防止することができる。
【００３７】
（３）  さらに、本実施形態では、ホルダ３０の腹部には、刃体４０を着脱可能に刃体取付溝３４（溝）を形成し、刃体取付溝３４を顎部３２に開口した。
この結果、製造工程において、図示しない間隔調整治具をホルダ３０の先端から顎部３２に亘る刃体取付溝３４内に挿入し、前記開口した部位から間隔調整治具を出すことにより、挟着片３６間の長さ方向全体の間隔調整を行うことができる。
【００３８】
又、刃体取付溝３４が顎部３２に開口して形成されているため、刃体取付溝３４を清掃する際に、この開口を介して、ゴミを排出することができる。髭剃り等を行うと、刃体取付溝３４内に髭かす等のゴミが溜まるが、仮に、顎部３２にこの開口が無く、顎部３２が閉塞されていると、ホルダ３０の先端及び刃体４０と対応する腹部にしか開口されていないため、髭かす等のゴミの排除方向が限定され、やりにくくなる。しかし、本実施形態では、このようなことはなく、髭かすの排除を顎部３２側からも行うことができ、髭かす等のゴミの排除がやりやすくなる。
【００３９】
（４）  本実施形態では、刃体取付溝３４の開口における内頂部３５から前記開口を介して外部へ、該内頂部３５に沿って延びる延長線Ｌを想定したとき、該延長線Ｌが、先端部位２１の腹部２１ａに干渉しないように刃体取付溝３４の開口における内頂部３５を形成した。この結果、髭かす等のゴミを刃体取付溝３４から排除する際に、刃体取付溝３４から掃除用の治具が出たとき、その掃除用の治具が先端部位２１の腹部２１ａに当たることが無く、溝掃除のとき先端部位２１の腹部２１ａの傷付きを防止できる。
【００４０】
（５）  本実施形態では、長柄２０の先端部位２１の材質は、熱可塑性エラストマーにて形成した。
この結果、長柄２０の背部２１ｂ（指当て部）での指の滑りが防止でき、柔らかく手になじむ把持感が得られる。
【００４１】
なお、本発明の実施形態は前記実施形態に限定されるものではなく、下記のように変更してもよい。
（１）  図８、図９に示すように、顎部３２の滑り止め凹部３７を省略すること。
【００４２】
（２）  滑り止め凹部３７の代わりに、滑り止め部として、滑り止め突部を１個以上、顎部３２に形成すること。
（３）  長柄２０の先端部位２１の背部２１ｂに指がフィットする指当て凹面２３を図１０及び図１１に示すように、形成すること。こうすると、人差し指Ｆ２を安定して載置することができる。このため、長柄かみそり１０を安定状態で自由に操作することができて、ひげ剃り等を容易に行うことができる。なお、図１０，図１１では、顎部３２の滑り止め部は省略したが、図４に示すように構成と同様に滑り止め凹部３７等の滑り止め部を設けてもよい。
【００４３】
（４）  ホルダ３０を備えた替刃式の長柄かみそりに代えて、長柄に対して、刃体部から延びた図示しない基端部が挿入されることにより、刃体部が長柄に取着されているタイプの長柄かみそり、例えば、図１２に示すような刃体部１１０を備えたタイプの長柄かみそりに具体化してもよい。
【００４４】
前記実施形態から把握できる請求項に記載以外の技術的事項について述べる。
（１）  請求項１又は請求項２において、前記ホルダの腹部には、刃体となる替刃を着脱可能に溝が形成されており、該溝は、前記凹状の部位に開口して形成されていることを特徴とする長柄かみそり。こうすると、溝が凹状の部位に開口して形成されているため、溝を清掃する際に、この開口を介して、ゴミを排出することができる。
【００４５】
（２）  請求項１乃至請求項３のいずれか１項において、前記凹状の部位における溝の内頂部は、該内頂部から前記開口を介して外部へ延びる延長線を想定したとき、該延長線が、前記先端部位の腹部に干渉しないように前記溝の開口における内頂部を形成したことを特徴とする長柄かみそり。こうすると、凹状の部位における溝の内頂部の延長線が、先端部位の腹部に干渉しないため、掃除用の治具により、溝を掃除する際、溝から治具が出たとき、その掃除用の治具が長柄の先端部位の腹部に当たることが無く、溝掃除のとき該先端部位の腹部が傷つくことがない。
【図面の簡単な説明】
【００４６】
【図１】長柄かみそりの正面図。
【図２】同じく、刃体を省略した斜視図。
【図３】同じく断面図。
【図４】同じく要部断面図。
【図５】同じく顎部の底面図。
【図６】顎部の横断面図。
【図７】使用状態を示す説明図。
【図８】他の実施形態の顎部周辺の説明図。
【図９】同じく断面図。
【図１０】他の実施形態の顎部周辺の説明図。
【図１１】同じく断面図。
【図１２】従来の長柄かみそりの正面図。
【図１３】同じく長柄かみそりの傾きの説明図。
【図１４】同じく従来例１の持ち方による対皮角度の変え方の説明図。
【符号の説明】
【００４７】
１０…長柄かみそり
２０…長柄
２１…先端部位、２１ａ…腹部、２１ｂ…背部、
３０…ホルダ
３２…顎部
３４…刃体取付溝（溝）
３７…滑り止め凹部（滑り止め部）
４０…刃体
【図１】
2005224434.tif 000003
【図２】
2005224434.tif 000004
【図３】
2005224434.tif 000005
【図４】
2005224434.tif 000006
【図５】
2005224434.tif 000007
【図６】
2005224434.tif 000008
【図７】
2005224434.tif 000009
【図８】
2005224434.tif 000010
【図９】
2005224434.tif 000011
【図１０】
2005224434.tif 000012
【図１１】
2005224434.tif 000013
【図１２】
2005224434.tif 000014
【図１３】
2005224434.tif 000015
【図１４】
2005224434.tif 000016